(57)【要約】【課題】水力高圧エアーインペラーモーター併用揚水発電機は、構造面でも複雑で一般家庭で使用可能であるか、わからない不都合があった。  本発明の目的は、従来と異なる方式で最小限の設置で一般家庭に満足のできる新エネルギーを提供することにある。【解決手段】前記目的を達成するために、本発明は、循環式自家用水力発電装置は、始めに水道管４よりホースを使って、地下に設置された地下貯水槽２と上部貯水槽３へ一定量の水を供給して、前記上部貯水槽から地下貯水槽へ水を落下させる水圧管５と前記水圧管の先端の噴射口１９の下部に設置された水車部と前記水車部により変速手段を介して駆動する発電機１５を備えたことを特徴とするものである。前記水車部では、水車１０を水車ケース１１の中に水車を設置して、水の流出を防ぐ手段と、前記水車部により変速手段を介して駆動する発電機と、を備えたことを特徴とするものである。【選択図】  図１
2006170179.tif 000002
【特許請求の範囲】
【請求項１】
始めに、水道管により地下貯水槽に一定量の水道水を前記地下貯水槽に供給する。前記地下貯水槽の上部に櫓ヤグラ本体を設置し、前記櫓上部に上部貯水槽を設置し、前記貯水槽前記用水ポンプ一定量を揚水する。上部貯水槽から下部に設置された水車部へ水圧管を通して水を落下させる。前記水車部により変速手段を介して駆動する発電機と吐出口から放水された水が地下貯水水槽に溜まった水を揚水ポンプにより、上部貯水槽へ揚水し、使用済みの水を再度使用することのできる装置を備えたことを、特徴とする循環式自家用水力発電装置。
【請求項２】
前記上部貯水槽では、漏斗状の水槽にして前記上部貯水槽から落下させる水の流れを高めながら落下させる、手段を備えた、ことを特徴とする循環式自家用水力発電装置。
【請求項３】
前記上部貯水槽内に、浮きを設置して、浮きの上部に、重りを乗せて水圧を加える手段を備えたことを、特徴とする循環式自家用水力発電装置。
【請求項４】
前記浮きの主軸の中央部に目安盤を設置して、前記上部貯水槽の水位の目安とする。以下前記請求項２．３の記載の発電装置。
【請求項５】
前記水車部では、ケースを設置して、その中に水車をおさめて水の流出を防ぐ。以下請求項２．３記載の発電装置。
【請求項６】
前記変速ぶ部では、従来のベルトによる変速装置では、どうしてもスリップ等を生じ易いので大小のギャーを噛み合わせて、完全駆動にする、変速装置。前記請求項２．３記載の発電装置。
【請求項７】
上記の項目を備えたこと、を特徴とする循環式自家用水力発電装置。
【発明の詳細な説明】
【技術分野】
【０００１】  本発明は、水道水など利用して、小型形状で、コストも安く場所もあまり取らない、何処でも設置ができて一般家庭に向いた、二酸化炭素を発生させない節電が期待される、循環式自家用水力発電装置である。
【背景技術】
【０００２】  従来より、水力高圧エヤーインペラーモーター併用揚水発電装置があって、初期起動に外部入力だけで、運転中に、外部入力の必要がなく、自己消費後の余剰電気エネルギーを外部供給ができる、水力高圧エヤーインペラーモーター併用揚水発電機、特用２００１−２５４６６２
【発明の開示】
【発明が解決しようとする課題】
【０００３】  しかしながら、このようなタイプの水力高圧エヤーインペラーモーター併用揚水発電機は、タワー本体とタービン発電機と水力高圧エヤーインペラーモーター高圧エヤーポンプからなっていて、タービン発電機で生じたエネルギーで水力高圧インペラーモーターと高圧ポンプを稼働さす仕組みであるが、果たしてタービン発電機でエネルギーで二者の消費電力を差し引いた、余剰電力が如何程になるか開示されていない、構造面でも複雑でコストの推定ができず一般家庭で使用可能であるか、わからない不都合があった。【０００４】  本発明の目的は、このような不都合に着目して案出されたものであり、その目的は、コストが安価で一般家庭でも簡単に設置できる循環式自家用水力発電装置を提供するものである。【０００５】  本発明の目的は、従来と異なる方式で最小限の設置で一般家庭に満足のできる新エネルギーを提供することにある。
【課題を解決するための手段】
【０００６】  前記目的を達成するため、本発明は、循環式自家用水力発電装置は、始めに水道管よりホースを使って、地下に設置された地下貯水槽と上部貯水槽へ一定量の水を供給して、前記上部貯水槽から地下貯水槽へ水を落下させる水圧管と前記水圧管の先端の噴射口の下部に設置された水車部と前記水車部により変速手段を介して駆動する発電機を備えたことを特徴とするものである。【０００７】  また本発明に係わる循環式自家用水力発電装置は、地下に設置された前記地下貯水槽と前記上部貯水槽へ水道水を供給する手段と地下貯水槽より上部貯水槽へ水を揚水する、前記揚水ポンプと用水管と上部貯水槽から地下貯水槽へ落下させる前記水圧管と水圧管の先端の噴射口の下部に設けられた前記水車部では、水車をケースの中に水車をを設置して、水の流出を防ぐ手段と、前記水車部により変速手段を介して駆動する発電機と、を備えたことを特徴とするものである。【０００８】  さらに、本発明に係わる循環式自家用水力発電装置は、地下に設置された前記地下貯水槽と地下貯水槽より、前記上部貯水艚へ水を揚水する前記揚水管上部貯水艚では、漏斗状の水槽で水の流れを円滑にするための手段と、上部貯水艚内に浮きを設置し、その浮きの上部に重りを乗せて水圧を加える手段と、を講じて上部貯水艚から地下貯水槽へ落下させる前記水圧管と水圧管の先端の噴射口の下部に設けられた前記水車部により変速手段を介して駆動する発電機と、を備えたことを特徴とするものである。
【発明の効果】
【０００９】  本発明の循環式自家用水力発電装置は、地下に設置された、前記地下貯水槽と、地下貯水槽より前記上部貯水槽水を揚水する前記揚水管と地下貯水槽に設けられた、前記揚水ポンプ揚水管と上部貯水槽から地下貯水槽へ落下させる前記水圧管と水圧管の先端の噴射口の下部に設けられた前記水車部により変速手段を介して駆動する発電機と、吐出口から使用済みの水が地下貯水槽に落下し溜まった水を再度揚水ポンプにより用水管を通じて、上部貯水槽に揚水このようにして水を繰り返し使用することができる、効率的な循環式自家用水力発電装置とすることができるものである。風や天候に左右されず、昼夜兼行で一定のエネルギーが得られる、小型形状で二酸化炭素（ＣＯ２）を発生させない節電効果ができる。（追従）水圧管の中途に枝管とバルブを設置して、消火栓として使用すれば初期消火に役立つ。
【発明を実施するための最良の形態】
【００１０】  以下本発明の形態を図面を参照しながら説明する。【００１１】  図１．２は、本実施形態に係わる循環式自家用水力発電装置の概略正面図が示され、図１には正面から見た断面図と図２は一部側面図に基づき本発明の実施の形態を詳細に説明する。図１．２は本発明に係わる循環式自家用水力発電装置をしめす全体の正面から見た断面図と一部側面図は、本循環式自家用水力発電装置の実施例を示す、全体構成図である【００１２】  図１は、本発明に係わる循環式自家用水力発電装置を示すもので地下に設置された地下貯水槽２と前記地下貯水槽２より上部貯水槽３へ揚水するものであって、地下貯水槽２に設けられた揚水ポンプ２０と用水管７によって前記上部貯水槽３に揚水され、上部貯水槽３から地下貯水槽２へ落下させる水圧管５と、この水圧管５の先端噴射口１９の下部に設けられた水車部１０と、この水車部１０により変速手段を介して駆動する前記発電機１５と、を備えたものである。また前記水圧管５の中途には、水流を調整するバルブ６が設けられている。【００１３】  図２は、本発明の循環式自家用水力発電装置の主要部である前記水車部１０を示すものである、この水車１０がシャフト１２と水車軸受２２により、軸支さており回転自在に支承されているシャフト１２の一端に、ギヤー１３は１２０枚が装着されており、前記発電機１５の主軸１４にギヤー２０枚が装着されており両者噛み合わせて伝導する。また水車ケース１１の中に水車１０を設置し、水の流出を防ぐ手段を講じている。【００１４】  図１は、本発明の循環式自家用水力発電装置の全体断面図は、前記地下貯水槽２と、その上部に設置された櫓ヤグラ１本体とその上部に固定された前記上部貯水槽３からなってる。【００１５】  前記地下貯水槽２より前記上部貯水槽３へ地下貯水槽２に設置された前記揚水ポンプ２０を作動させて地下貯水槽２より、上部貯水槽３に前記揚水管７０通して揚水する。【００１６】  前記上部貯水槽３には、前記浮き８が設けられてその上部に前記重り９に２ｋｇを乗て水圧を加える、また上部貯水槽内に浮き軸８の中間に前記目安盤１６を取り付けて、上部貯水槽３の水位の調整を可能にする。前記水圧管５の中途に設けられた前記調整バルブ６を全開または、水流を調整して水圧管５を通して前記噴射口１９まで水を落下させる。【００１７】  前記水車部１０では、水車の一端側に前記ギヤー１３の歯数１２０枚が装着されており前記発電機１５の主軸に同じくギヤー１４に歯数２０枚が装着されて回転比１対６で水車１０が回転数（２００ｒＰＭ）で運転され発電機１５は６倍の回転数（１２００ｒＰＭ）で駆動される変速手段で発電能力を容易にする。【００１８】  このようにして、前記上部貯水槽３より落下する水が前記水圧管５の先端の前記噴射口１９を径て前記水車部１０の前記吐出口２１より流出した水が地下貯水槽２に溜まった水は、前記発電機１５により発電された電力を使用して、前記揚水ポンプ２０を稼働させて前記用水管７を通じて上部貯水槽３へ循環される。このようにして本発明の循環式自家用水力発電装置とすることができるものである。
【図面の簡単な説明】
【００１９】
【図１】本実施形態に係わる循環式自家用水力発電装置の概略正面から見た断面図である。
【図２】水車の側面図と断面図である。
【符号の説明】
【００２０】  １  櫓本体                １１  水車ケース              ２１  吐出口  ２  地下貯水槽            １２  シャフト                ２２  水車軸受  ３  上部貯水槽            １３  ギヤー大１２０枚  ４  水道管                １４  ギヤー小  ２０枚  ５  水圧管                １５  発電機  ６  調整バルブ            １６  目安盤  ７  用水管                １７  ケース支柱ボート  ８  浮き                  １８  上部貯水槽固定アングル  ９  重り                  １９  噴射口  ０  水車                  ２０  揚水ポンプ
【図１】
2006170179.tif 000003
【図２】
2006170179.tif 000004